(57)【要約】【課題】小規模放送の情報について把握でき、また、移動中に、その位置で、どのチャンネルで、どの放送を受信できるのかが判断できるようにした携帯端末を提供する。【解決手段】映像再生チューナ４３でテレビジョン放送を受信し、表示部１３に表示させながら、探波チューナ４４によりチャンネルをスキャンし、放送波の検出を行う。探波チューナ４４により放送波が検出されたら、一般放送用チャンネル記憶部５１に記憶されている放送チャンネル情報と比較し、一般放送用チャンネル記憶部５１に登録済みでなければ、新規な小規模放送局であると判断する。検出された小規模放送局の情報を小規模放送用チャンネル記憶部５２に登録できる。また、映像再生チューナ４３のチャンネルを、検出された小規模放送局のチャンネルに切り替え、視聴できる。【選択図】図７
2009182800.tif 000002
【特許請求の範囲】
【請求項１】
広域サービスエリアのテレビジョン放送である一般放送と、狭域サービスエリアのテレビジョン放送である小規模放送とが受信可能な携帯端末であって、
テレビジョン放送を受信して復号するテレビジョン放送受信手段と、
受信したテレビジョン放送を表示する表示手段と、
小規模放送を検出する小規模放送検出手段と、
前記小規模放送検出手段の検出出力に応じて、前記小規模放送の再生を制御する制御手段と
を備えることを特徴とする携帯端末。
【請求項２】
前記一般放送の選局情報が記憶される一般放送用選局情報記憶手段と、前記小規模放送の放送局の選局情報が記憶される小規模放送用選局情報記憶手段とを備えることを特徴とする請求項１に記載の携帯端末。
【請求項３】
前記制御手段は、検出された放送の選局情報と、前記一般放送用選局情報記憶手段に登録されている選局情報とを比較し、前記検出された放送の選局情報が前記一般放送用選局情報記憶手段に登録されていなければ、新たな小規模放送を検出したと判定することを特徴とする請求項２に記載の携帯端末。
【請求項４】
前記制御手段が新たな小規模放送を検出したと判定した場合に該新たな小規模放送を検出した旨を報知する報知手段を備えることを特徴とする請求項３に記載の携帯端末。
【請求項５】
前記小規模放送検出手段は、選局をスキャンさせながらテレビジョン放送を受信する探波受信手段であることを特徴とする請求項１に記載の携帯端末。
【請求項６】
前記探波受信手段は、前記テレビジョン放送受信手段とは別個に設けられることを特徴とする請求項５に記載の携帯端末。
【請求項７】
前記小規模放送検出手段は、前記小規模放送の情報が記録されたバーコードを読み取る光学的読み取り手段であることを特徴とする請求項１に記載の携帯端末。
【請求項８】
前記小規模放送検出手段は、前記小規模放送の情報を提供する情報提供装置とデータの授受を行う近距離通信手段であることを特徴とする請求項１に記載の携帯端末。
【請求項９】
前記小規模放送検出手段は、ＩＰ通信のブロードキャストを受信して小規模放送を検出することを特徴とする請求項１に記載の携帯端末。
【請求項１０】
前記制御手段は、前記小規模放送が検出されたら、前記検出された小規模放送の選局情報を前記小規模放送用選局情報記憶手段に登録可能とすることを特徴とする請求項２に記載の携帯端末。
【請求項１１】
現在位置を検知する位置検知手段を備え、
前記制御手段は、前記検出された小規模放送の選局情報と、該小規模放送を検出した際に前記位置検知手段により検知された現在位置と、を関連付けて前記小規模放送用選局情報記憶手段に登録する
ことを特徴とする請求項１０に記載の携帯端末。
【請求項１２】
前記小規模放送用選局情報記憶手段に登録された選局情報及び現在位置に基づいて、前記位置検知手段によって検知された現在位置に応じた小規模放送を報知する小規模放送報知手段を備えることを特徴とする請求項１１に記載の携帯端末。
【請求項１３】
前記制御手段は、前記小規模放送が検出されたら、前記テレビジョン放送受信手段で前記検出された小規模放送を受信可能とすることを特徴とする請求項１に記載の携帯端末。
【請求項１４】
前記制御手段は、前記小規模放送の受信ができなくなったら、前記一般放送の受信に復帰可能とすることを特徴とする請求項１に記載の携帯端末。
【請求項１５】
前記制御手段は、前記一般放送の受信ができなくなったら、前記小規模放送を受信可能とすることを特徴とする請求項１に記載の携帯端末。
【請求項１６】
広域サービスエリアのテレビジョン放送である一般放送と、狭域サービスエリアのテレビジョン放送である小規模放送とが受信可能な携帯端末のテレビジョン受信プログラムであって、
テレビジョン放送を受信して復号するステップと、
前記受信したテレビジョン放送を表示するステップと、
小規模放送を検出するステップと、
前記小規模放送検出ステップの検出結果に応じて、前記小規模放送の再生を制御するステップと
を備えることを特徴とする携帯端末のテレビジョン受信プログラム。
【発明の詳細な説明】
【技術分野】
【０００１】
本発明は、テレビジョン放送が受信可能な携帯端末に関するもので、特に、狭域の受信エリアの小規模放送局によるテレビジョン放送が受信可能なものに関する。
【背景技術】
【０００２】
携帯用のテレビジョン放送として、地上波ディジタルテレビジョン放送の１セグメントを用いたテレビジョン放送（以下、ワンセグ放送と略称する）の普及が進んでいる。地上波テレビジョン放送では、１つのチャンネルの帯域が１３のＯＦＤＭ(Orthogonal Frequency Division Multiplex)セグメントに分割されている。ワンセグ放送は、これら１３のセグメントのうちの１セグメントを用いたテレビジョン放送である。現在、一般のワンセグ放送は、既存の地上ディジタルテレビジョン放送と同じアンテナから、同一の番組を放送している。このような一般のワンセグ放送は、広域な受信エリアを確保できるような出力電力となっている。
【０００３】
これに対して、半径数ｍから数１０ｍの受信エリアの微弱電波等を用いた狭域の受信エリアの小規模放送局によるワンセグ放送システムが提案されている。小規模放送局によるワンセグ放送の仕様は、基本的には、一般のワンセグ放送と同じである。このため、ユーザは、各自のワンセグ放送受信可能な携帯端末を使って、小規模放送局によるワンセグ放送を受信することができる。小規模放送局によるワンセグ放送は、微弱電波の特性を生かし、デパート、コンビニエンスストア、レストラン等が、各地域、各店舗に合った最新の番組を提供するのに利用される。
【０００４】
ところが、小規模放送局のサービスエリアは狭く、また、その存在も電波のためよく判らない場合が多い。このため、どこで、どのチャンネルで、どのような放送が行われているかについて、不慣れなユーザが把握することが難しい。
【０００５】
受信可能なテレビジョンチャンネルの設定を行うものについては、例えば特許文献１に、ユーザが指定したチャンネルが登録されていない場合に、放送信号帯域をスキャンし、当該番号を仮想チャンネルとしてもつディジタル放送信号を選局可能とするディジタル放送受信機が提案されている。
【０００６】
ところが、特許文献１に示されるものでは、小規模放送局の放送についての記載がないのみならず、チューナが１つであるため、テレビジョン受信中には、チャンネルスキャンをさせて、放送を選局することは不可能である。このため、携帯端末で一般のテレビジョン放送を受信しながら、小規模放送局を検出することは不可能であるし、また想定されてもいない。
【特許文献１】特開２００２−３４４８２９号公報
【発明の開示】
【発明が解決しようとする課題】
【０００７】
上述のように、小規模放送局を受信して、各地域、各店舗に合った最新の番組を表示させるためには、どこで、どのチャンネルで、どのような小規模放送が行われているか把握する必要がある。また、ユーザが一般のテレビジョン放送を受信しながら携帯端末を携帯して移動していることが想定されるため、一般のテレビジョン放送を受信しながら、小規模放送局を検出することができる必要がある。
【０００８】
上述の課題を鑑み、本発明は、小規模放送の情報について把握でき、また、移動中に、その位置で、どのチャンネルで、どの放送を受信できるのかが判断できるようにした携帯端末を提供することを目的とする。
【課題を解決するための手段】
【０００９】
上述の課題を解決するために、本発明は、広域サービスエリアのテレビジョン放送である一般放送と、狭域サービスエリアのテレビジョン放送である小規模放送とが受信可能な携帯端末であって、テレビジョン放送を受信して復号するテレビジョン放送受信手段と、受信したテレビジョン放送を表示する表示手段と、小規模放送を検出する小規模放送検出手段と、小規模放送検出手段の検出出力に応じて、小規模放送の再生を制御する制御手段とを備えることを特徴とする携帯端末である。
【００１０】
上記発明において、一般放送の選局情報が記憶される一般放送用選局情報記憶手段と、小規模放送の放送局の選局情報が記憶される小規模放送用選局情報記憶手段とを備えることを特徴とする。
【００１１】
上記発明において、制御手段は、検出された放送の選局情報と、一般放送用選局情報記憶手段に登録されている選局情報とを比較し、検出された放送の選局情報が一般放送用選局情報記憶手段に登録されていなければ、新たな小規模放送を検出したと判定することを特徴とする。
上記発明において、前記制御手段が新たな小規模放送を検出したと判定した場合に該新たな小規模放送を検出した旨を報知する報知手段を備えることを特徴とする。
【００１２】
上記発明において、小規模放送検出手段は、選局をスキャンさせながらテレビジョン放送を受信する探波受信手段であることを特徴とする。
【００１３】
上記発明において、探波受信手段は、テレビジョン放送受信手段とは別個に設けられることを特徴とする。
【００１４】
上記発明において、小規模放送検出手段は、小規模放送の情報が記録されたバーコードを読み取る光学的読み取り手段であることを特徴とする。
【００１５】
上記発明において、小規模放送検出手段は、小規模放送の情報を提供する情報提供装置とデータの授受を行う近距離通信手段であることを特徴とする。
【００１６】
上記発明において、小規模放送検出手段は、ＩＰ通信のブロードキャストを受信して小規模放送を検出することを特徴とする。
【００１７】
上記発明において、制御手段は、小規模放送が検出されたら、検出された小規模放送の選局情報を小規模放送用選局情報記憶手段に登録可能とすることを特徴とする。
上記発明において、現在位置を検知する位置検知手段を備え、前記制御手段は、前記検出された小規模放送の選局情報と、該小規模放送を検出した際に前記位置検知手段により検知された現在位置と、を関連付けて前記小規模放送用選局情報記憶手段に登録することを特徴とする。
上記発明において、前記小規模放送用選局情報記憶手段に登録された選局情報及び現在位置に基づいて、前記位置検知手段によって検知された現在位置に応じた小規模放送を報知する小規模放送報知手段を備えることを特徴とする。
【００１８】
上記発明において、制御手段は、小規模放送が検出されたら、テレビジョン放送受信手段で検出された小規模放送を受信可能とすることを特徴とする。
【００１９】
上記発明において、制御手段は、小規模放送の受信ができなくなったら、一般放送の受信に復帰可能とすることを特徴とする。
【００２０】
上記発明において、制御手段は、一般放送の受信ができなくなったら、小規模放送を受信可能とすることを特徴とする。
【００２１】
本発明は、広域サービスエリアのテレビジョン放送である一般放送と、狭域サービスエリアのテレビジョン放送である小規模放送とが受信可能な携帯端末のテレビジョン受信プログラムであって、テレビジョン放送を受信して復号するステップと、受信したテレビジョン放送を表示するステップと、小規模放送を検出するステップと、小規模放送検出ステップの検出結果に応じて、小規模放送の再生を制御するステップとを備えることを特徴とする携帯端末のテレビジョン受信プログラムである。
【発明の効果】
【００２２】
本発明によれば、小規模放送を検出することで、どのような小規模放送が、どこで、どのチャンネルで行われているかを把握することができる。また、移動中に、一般放送を再生中にも、小規模放送局を検出することができる。また、一般放送用チャンネルを記憶する一般放送用選局情報記憶手段と、小規模放送用チャンネルを記憶する小規模放送用選局情報記憶手段とが設けられているため、検出された放送の選局情報と、一般放送用選局情報記憶手段に記憶されている選局情報と比較することで、未知の小規模放送を確実に検出できる。また、一般放送と小規模放送とに分けて、選局を行える。
【発明を実施するための最良の形態】
【００２３】
以下、本発明の実施の形態について図面を参照しながら説明する。
＜第１の実施形態＞
図１は、本発明の第１の実施形態の携帯電話端末１の外観構成を示すものである。本発明の第１の実施形態の携帯電話端末１は、電話機機能、テレビジョン受信機能を備え、その他に、インターネットの通信機能、カメラ機能、ＧＰＳ(Global Positioning System)機能、近距離通信機能、等を必要に応じて備えた多機能型の携帯電話端末である。また、この例では、携帯電話端末１は折り畳み自在の構造となっている。図１（Ａ）は、携帯電話端末１の内側となる部分の各部の配置を示し、図１（Ｂ）は、外側となる各部の配置を示すものである。
【００２４】
図１（Ａ）に示すように、携帯電話端末１の内側となる部分の下端には、マイクロホン１１が配置される。携帯電話端末１の内側となる部分の上端には、スピーカ１２が配置される。マイクロホン１１及びスピーカ１２は、電話使用時に送受話を行うものである。
【００２５】
また、携帯電話端末１の内側となる部分の上方には、表示部１３が配置される。表示部１３は例えば液晶ディスプレイや有機ＥＬディスプレイである。表示部１３には、各種の文字や画像が表示される。すなわち、電話利用時には、表示部１３に、着信や送信の電話番号や住所録が表示される。また、インターネットを利用時には、表示部１３に、インターネットのビューアの表示画面や、送受信メールが表示される。また、カメラ撮影時には、表示部１３がビューファインダとして用いられる他、撮影したカメラ画像が表示部１３に表示される。また、ＧＰＳナビゲーション時には、表示部１３に、地図画面が表示される。また、テレビジョン受信時には、表示部１３に、受信したテレビジョン放送の画面が表示される。
【００２６】
携帯電話端末１の内側となる部分の下方には、テンキー（＊キーや＃キーを含む）１４、カーソルキー１５、決定キー１６、機能キー１７ａ〜１７ｄが配置される。テンキー１４は、電話番号の入力、メールや電話帳作成時の文字入力等に用いられる。カーソルキー１５は、表示部１３に表示されるカーソルを移動させて、各種の選択入力等を行うのに用いられる。決定キー１６は、選択実行を行うのに用いられる。機能キー１７ａ〜１７ｄは、状態やモードに応じて、各種の入力を行うのに用いられる。
【００２７】
携帯電話端末１の外側には、図１（Ｂ）に示すように、カメラ部１８、アンテナ１９が配置される。カメラ部１８は、風景を撮影したりするのに利用される他、バーコード（以下、一次元バーコード、二次元バーコード（ＱＲコード）、カラーコードを含むものとする）の入力等に利用される。アンテナ１９は、テレビジョン放送の受信のためのアンテナである。
【００２８】
図２は、本発明の第１の実施形態の携帯電話端末１の主要部の内部構成を示すものである。図２において、主制御部２１は、ＣＰＵ(Central Processing Unit)等からなり、携帯電話端末の全体の動作の制御を行っている。プロラムメモリ２２はＲＯＭ(Read Only Memory)であり、ブートプログラム、基本プログラム、インターネットのビューア、メーラ、カメラ制御、ＧＰＳ制御、電子マネー制御、テレビジョン受信及び録画制御等、各種のアプリケーションプログラムが保存されている。メモリ２３には、各種のプリセットデータ、電話帳データ、メールのデータ、電話履歴、位置履歴、行動履歴、写真情報等、各種のデータが記憶される。
【００２９】
また、本発明の第１の実施形態の携帯電話端末１のメモリ２３には、一般放送用チャンネル記憶部５１と、小規模放送用チャンネル記憶部５２とが含まれる。
【００３０】
大容量メモリ２４は、フラッシュメモリ等からなり、ＧＰＳナビゲーションに使う地図情報等や動画情報等が記憶される。
【００３１】
電池２５は、携帯電話端末１の各部に電源を供給するものである。電池２５としては、ニッケル・カドミウム電池、ニッケル水素電池、リチウム・イオン電池等の二次電池が用いられる。電池制御部２６は、電池２５からの電源の制御を行っている。
【００３２】
操作部２７は、ユーザからの入力操作が行われる。操作部２７には、テンキー１４や、カーソルキー１５、決定キー１６、機能キー１７ａ〜１７ｄ（図１参照）等が含まれる。表示部１３は、液晶ディスプレイからなり、表示部１３は、前述したように、各種の文字や画像の表示に用いられる。
【００３３】
近距離通信部２９は、他の周辺機器との無線で接続してデータの送受信を行うものである。通信方式としては、例えば、Bluetooth（登録商標）が用いられる。Ｉｒ送信部３１、Ｉｒ受信部３２は、他の周辺機器を赤外線で操作するためのものである。
【００３４】
無線部３３は、基地局との間で、電波の送受信を行うものである。通信方式としては、ＰＤＣ(Personal Digital Cellular)、ＧＳＭ(Global System for Mobile Communication)、ＣＤＭＡ(Code Division Multiple Access)、ＷＣＤＭＡ(Wideband CDMA)等がある。本発明では、どのような通信方式を用いても良い。通信制御部３４は、基地局との間で通信する信号の制御を行っている。
【００３５】
マイクロホン１１及びスピーカ１２は、電話利用時に、送受話を行う場合等に用いられる。音声処理部３６は、入力音声信号や出力音声信号の処理を行っている。
【００３６】
カメラ部１８は、カメラ撮影を行うものである。カメラ部１８には、レンズ等の光学系３７と、ＣＣＤ(Charge Coupled Device)等のイメージセンサからなる撮像部３８と、イメージセンサの撮像信号を処理する映像信号処理部３９とが含まれる。
【００３７】
ＧＰＳ機能部４１は、複数の衛星からの電波を受信して、現在地を即位するものである。ＲＦＩＤリーダ４２は、電子マネー等を利用する場合に、近距離通信を行うものである。
【００３８】
本発明の第１の実施形態の携帯電話端末１には、映像再生チューナ４３と、探波チューナ４４の２つのチューナが設けられている。映像再生チューナ４３は、テレビジョン放送の電波を受信して、テレビジョン信号をデコードするものである。テレビジョン放送としては、地上ディジタルテレビジョン放送の１セグメントを使った低解像度の放送（ワンセグ放送）が用いられる。探波チューナ４４は、チャンネルスキャンをして、小規模テレビジョン放送を検出するものである。
【００３９】
着信報知用スピーカ４６は、着信を知らせる音や音楽を出力するものである。バイブレータ４７は、着信を振動で知らせるものである。
【００４０】
次に、本発明の第１の実施形態の携帯電話端末１のテレビジョン受信の動作について説明する。
【００４１】
本発明の第１の実施形態の携帯電話端末１では、広域のサービスエリアの一般のワンセグテレビジョン放送と、狭域のサービスエリアの小規模のワンセグテレビジョン放送とが受信できる。広域の一般のワンセグテレビジョン放送は、既存の地上ディジタルテレビジョン放送と同じアンテナから同一の番組を放送するもので、地上ディジタルテレビジョン放送と同様な広域な受信エリアを確保できるような出力電力となっている。狭域のサービスエリアの小規模のワンセグテレビジョン放送は、数ｍから数１０ｍの狭いサービスエリアの微弱出力電力の放送である。狭域のサービスエリアの小規模のワンセグテレビジョン放送は、微弱電波の特性を生かし、デパート、コンビニエンスストア、レストラン等が、各地域、各店舗に合った最新の番組を提供するのに利用される。
【００４２】
以下、広域のサービスエリアの一般のワンセグテレビジョン放送は一般放送と称し、広域のサービスエリアの一般のワンセグテレビジョン放送のチャンネルは一般放送チャンネルと称し、広域のサービスエリアの一般のワンセグテレビジョン放送の放送局は一般放送局と称するものとする。また、狭域のサービスエリアの小規模のワンセグテレビジョン放送は小規模放送と称し、狭域のサービスエリアの小規模のワンセグテレビジョン放送のチャンネルは小規模放送チャンネルと称し、狭域のサービスエリアの小規模のワンセグテレビジョン放送の放送局は小規模放送局と称するものとする。
【００４３】
本発明の第１の実施形態の携帯電話端末１では、図２に示したように、一般放送用チャンネル記憶部５１と、小規模放送用チャンネル記憶部５２とが設けられている。一般放送用チャンネル記憶部５１には、図３に示すように、一般放送局名と、そのチャンネルと、その中心周波数とが記憶されている。小規模放送用チャンネル記憶部５２には、図４に示すように、小規模放送局名と、そのチャンネルと、その中心周波数と、その位置情報とが記憶されている。
【００４４】
一般放送チャンネルは、広く知らされており、一般放送用チャンネル記憶部５１の内容は、工場出荷時や初期利用時に、一度記憶された後は、殆ど変更されることがない。
【００４５】
これに対して、小規模放送チャンネルは未知である。本発明の第１の実施形態では、小規模放送局の検出処理が行われ、小規模放送局が検出されたら、新たに検出された小規模放送局が報知される。そして、この検出した小規模放送局を登録するかどうかの選択表示が行われ、小規模放送局を登録する場合には、小規模放送用チャンネル記憶部５２に、図４に示すように、放送局名と、チャンネルと、中心周波数と、位置情報とが記憶される。ここでは具体的に、例えば、小規模放送局名「ＡＢデパート４Ｆ（婦人服）」、チャンネル「４１ｃｈ」、中心周波数「６４１ＭＨｚ」、位置情報「北緯３５度４１分  東経１３９度４２分」のように記憶される。なお、実際には、位置情報は「秒」の単位まで使用されるが、ここでは省略した。
【００４６】
図５及び図６は、本発明の第１の実施形態における一般放送局の受信と、小規模放送局の受信とを説明するものである。
【００４７】
図５において、１０１は一般放送局、１０２は小規模放送局である。携帯電話端末１のユーザが地点Ａ１から、地点Ａ２、地点Ａ３、地点Ａ４に移動していくとする。図５において、Ｌ１が小規模放送局１０２のサービスエリアである。サービスエリアＬ１の外では、一般放送局１０１から電波は受信可能であるが、小規模放送局１０２からの電波は受信できない。
【００４８】
図６（Ａ）は地点Ａ１での受信画面を示し、図６（Ｂ）〜図６（Ｅ）は地点Ａ２での受信画面を示し、図６（Ｆ）は地点Ａ３での受信画面を示し、図６（Ｇ）〜図６（Ｉ）は地点Ａ４での受信画面を示す。
【００４９】
地点Ａ１では、小規模放送局１０２のサービスエリアＬ１の外にあるため、図６（Ａ）に示すように、一般放送局１０１から電波が受信され、この一般放送局１０１の受信画面が表示される。
【００５０】
地点Ａ１から地点Ａ２に移動すると、小規模放送局１０２のサービスエリアＬ１内に入る。本発明の第１の実施形態の携帯電話端末１では、後に説明するように、一般放送局の受信を行いながら、小規模放送局の検出処理が行われている。このため、小規模放送局１０２のサービスエリアＬ１内に入ると、小規模放送局１０２からの放送波が検出される。小規模放送局１０２が検出されると、図６（Ｂ）に示すように、小規模放送局１０２が新たに検出されたことを示す報知表示１１０が表示される。そして、図６（Ｃ）に示すように、新たに検出された小規模放送局１０２を登録するかどうかの選択表示１１１が表示される。ここで、「Ｙｅｓ」を選択すると、検出された小規模放送局１０２の情報が登録される。そして、図６（Ｄ）に示すように、新たに検出された小規模放送局１０２を視聴するかどうかの選択表示１１２が表示される。ここで、「Ｙｅｓ」を選択すると、図６（Ｅ）に示すように、小規模放送局１０２に変更されたことを示す報知表示１１３が表示され、検出された小規模放送局１０２の受信が開始され、この受信画面が表示される。変形例として、図６（Ｃ）の画面表示を省略して、画面６（Ｄ）においてＹｅｓが選択されたら、登録と視聴の操作を一括して行ってもよい。また、画面６（Ｂ）に関連して受信した小規模放送局の周波数が既登録のものである場合には、画面６（Ｃ）の登録の操作を省略することができる。
【００５１】
地点Ａ２から地点Ａ３までの間では、携帯電話端末１は、小規模放送局１０２のサービスエリアＬ１内である。このため、図６（Ｆ）に示すように、小規模放送局１０２からの放送の受信が続けられる。
【００５２】
地点Ａ４まで移動すると、携帯電話端末１が小規模放送局１０２のサービスエリアＬ１の外に出るため、小規模放送局１０２からの放送の受信ができなくなる。この場合には、図６（Ｇ）に示すように、小規模放送局１０２の圏外にあることを示す報知表示１１４が表示される。そして、図６（Ｈ）に示すように、元の一般放送局１０１の視聴に戻るかどうかの選択表示１１５が表示される。ここで、「Ｙｅｓ」を選択すると、図６（Ｉ）に示すように、元の一般放送局のチャンネルに戻り、この受信画面が表示される。
【００５３】
このように、本発明の第１の実施形態では、小規模放送局の放送波の検出処理が行われ、小規模放送局の放送波を検出したら、検出した小規模放送局が報知される。このため、小規模放送局がある場合には、これを検出して、各地域、各店舗に合った最新の番組を受信して、表示させることができる。
【００５４】
図７は、本発明の第１の実施形態の動作を説明するための機能ブロック図である。本発明の実施形態では、映像再生チューナ４３でテレビジョン放送を受信し、表示部１３に表示させながら、探波チューナ４４によりチャンネルをスキャンし、放送波の検出が行われる。そして、探波チューナ４４により放送波が検出されたら、一般放送用チャンネル記憶部５１に記憶されている放送チャンネル情報と比較し、一般放送用チャンネル記憶部５１に登録済みでなければ、新規な小規模放送局であると判断される。そして、ＧＰＳ機能部４１により、ＧＰＳ衛星からの位置情報をアンテナを介して受信して携帯電話端末の位置情報を取得する。そして、新たな小規模放送局が検出されると、小規模放送局が新たに検出されたことを示す報知表示が映出され、新たに検出された小規模放送局を登録するかどうかの表示が映出され、小規模放送局を登録するを選択すると、検出された小規模放送局の情報が小規模放送用チャンネル記憶部５２に登録される。そして、新たに検出された小規模放送局を視聴するかどうかの選択表示が映出され、検出された小規模放送局を視聴するを選択すると、映像再生チューナ４３のチャンネルが検出された小規模放送局のチャンネルに切り替えられ、検出された小規模放送局の受信画面が表示部１３に表示される。
【００５５】
図８は、本発明の第１の実施形態の動作を示すフローチャートである。図８において、テレビジョンの受信が起動されたら（ステップＳ１）、一般放送チャンネルを受信するか、小規模放送チャンネルを受信するかが判定される（ステップＳ２）。
【００５６】
ステップＳ２で、一般放送チャンネルを受信する場合には、一般放送用チャンネル記憶部５１に記憶されているチャンネル情報の中からチャンネルが設定され（ステップＳ３）、映像再生チューナ４３により、設定されたチャンネルの放送が受信される（ステップＳ４）。
【００５７】
ステップＳ２で、小規模放送チャンネルを受信する場合には、小規模放送用チャンネル記憶部５２に記憶されているチャンネルの中からチャンネルが設定され（ステップＳ５）、映像再生チューナ４３により、設定されたチャンネルの放送が受信される（ステップＳ４）。
【００５８】
そして、探波チューナ４４による小規模放送局の検出処理が行われ（ステップＳ６）、小規模放送局が検出されたかどうかが判定される（ステップＳ７）。小規模放送局が検出されなければ、ステップＳ６にリターンされ、小規模放送局の検出処理が継続される。
【００５９】
なお、本発明の第１の実施形態では、設定されたチャンネルの放送の受信は、映像再生チューナ４３を用いて行われ、ステップＳ６の小規模放送局の検出処理は、探波チューナ４４により行われる。したがって、小規模放送局の検出処理を行っている場合にも、一般放送チャンネルの受信処理が継続して行われている。
【００６０】
ステップＳ７で、小規模放送局の放送が検出された場合には、小規模放送局が新たに検出されたことを示す報知表示が行われる（ステップＳ８）。そして、検出された小規模放送局のチャンネル情報を登録するかどうかかの選択表示が行われる（ステップＳ９）。
【００６１】
ステップＳ１０で、小規模放送局のチャンネル情報の登録が選択されたかどうかが判定される。ステップＳ１０で、小規模放送局のチャンネル情報を登録することが選択された場合（ステップＳ１０のＹｅｓ）には、検出された小規模放送局のチャンネル情報が小規模放送用チャンネル記憶部５２に記憶される（ステップＳ１１）。そして、検出された小規模放送局を視聴するかどうかの選択表示が行われる（ステップＳ１２）。
【００６２】
ステップＳ１０で、小規模放送局のチャンネル情報の登録が選択されない場合（ステップＳ１０のＮｏ）には、そのまま、ステップＳ１２に行き、検出された小規模放送局を視聴するかどうかの選択表示が行われる。
【００６３】
ステップＳ１３で、小規模放送局を視聴するかどうかが判定される。小規模放送局の視聴が選択された場合（ステップＳ１３のＹｅｓ）には、映像再生チューナ４３のチャンネルが検出された小規模放送局のチャンネルに設定される（ステップＳ１４）。そして、映像再生チューナ４３により、設定されたチャンネルの小規模放送が受信される（ステップＳ１５）。その後、小規模放送局のチャンネルの受信が可能かどうかが判定され（ステップＳ１６）、受信が可能なら、ステップＳ１５にリターンされ、小規模放送局のチャンネルの受信が継続される。
【００６４】
ステップＳ１３で、小規模放送局のチャンネル情報を視聴することが選択されない場合（ステップＳ１３のＮｏ）には、ステップＳ４にリターンされ、最初に設定した設定チャンネルの受信が保持される。
【００６５】
ステップＳ１６で、小規模放送局の受信ができないと判定された場合には、圏外にあることを示す報知表示が行われる（ステップＳ１７）。そして、元のチャンネルに戻るかどうかの選択表示が行われる（ステップＳ１８）。
【００６６】
ステップＳ１９で、元のチャンネルに戻るが選択されたかどうかが判定され、元のチャンネルに戻るが選択された場合（ステップＳ１９のＹｅｓ）には、元の設定チャンネルに復帰され（ステップＳ２０）、ステップＳ４にリターンされる。ステップＳ１９で、元のチャンネルに戻るが選択されない場合（ステップＳ１９のＮｏ）には、ステップＳ１５にリターンされ、小規模放送局のチャンネルの受信が継続される。
【００６７】
上述のように、本発明の実施形態では、ステップＳ６で、探波チューナにより小規模放送局の検出処理を行っている。この小規模放送局の検出処理について詳細に説明する。
【００６８】
この実施形態では、放送受信用の映像再生チューナ４３とは別個の探波チューナ４４によりチャンネルをスキャンしながら、放送波の検出を行っている。そして、放送波が検出されたら、一般放送用チャンネル記憶部５１に記憶されている放送チャンネル情報と比較し、一般放送用チャンネル記憶部５１に登録済みでなければ、新規な小規模放送局であると判定するようにしている。
【００６９】
図９は、ステップＳ６の探波チューナによる小規模放送局の検出処理の詳細を示すフローチャートである。図９において、探波チューナ４４が起動される（ステップＳ１０１）。そして、初期チャンネルに設定される（ステップＳ１０２）。
【００７０】
設定されたチャンネルで、放送波が検出されたかどうかが判定され（ステップＳ１０３）、放送波が検出されなければ（ステップＳ１０３のＮｏ）、全てのチャンネルのスキャンが完了したかどうかが判定される（ステップＳ１０４）。全てのチャンネルのスキャンが完了していなければ（ステップＳ１０４のＮｏ）、次のチャンネルに設定され（ステップＳ１０５）、ステップＳ１０３にリターンされる。全てのチャンネルのスキャンが完了したら（ステップＳ１０４のＹｅｓ）、ステップＳ１０２にリターンされて、初期チャンネルに設定される。
【００７１】
ステップＳ１０３で、放送波が検出されたら（ステップＳ１０３のＹｅｓ）、一般放送用チャンネル記憶部５１に記憶されている放送チャンネル情報と比較され、一般放送用チャンネル記憶部５１に登録済みかどうかが判定される（ステップＳ１０６）。一般放送チャンネル記憶部に登録済みなら（ステップＳ１０６のＹｅｓ）、ステップＳ１０４に行き、全てのチャンネルのスキャンが完了したかどうかが判定され、全てのチャンネルのスキャンが完了していなければ、次のチャンネルに設定されてから（ステップＳ１０５）、ステップＳ１０３にリターンされ、全てのチャンネルのスキャンが完了したら、ステップＳ１０２にリターンされて、初期チャンネルに設定される。
【００７２】
ステップＳ１０６で、一般放送用チャンネル記憶部５１に登録済みでない放送波が検出された場合（ステップＳ１０６のＮｏ）には、このチャンネルは、新規に検出された小規模放送のチャンネルと判断できる。この場合には、ＧＰＳ機能部４１により位置情報が検出され（ステップＳ１０７）、小規模放送のチャンネルが検出できたことの判断結果と、この小規模放送の情報（チャンネル情報、位置情報）とが出力されて（ステップＳ１０８）、メイン処理にリターンされる。
【００７３】
本発明の第１の実施形態では、上述のように、放送受信用の映像再生チューナ４３とは別に、探波チューナ４４が設けられているため、放送受信中にも、小規模放送局が検出できる。図１０に示す表示例は、映像再生チューナ４３の動作と探波チューナ４４の動作とが分かるように、アイコンを表示したものである。
【００７４】
図１０において、表示１２３は映像再生チューナ４３のチャンネル設定状態を示し、表示１２４は映像再生チューナ４３の受信状態を示し、表示１２５は探波チューナ４４のチャンネル設定状態を示し、表示１２６は探波チューナ４４の受信状態を示している。
【００７５】
図１０（Ａ）に示すように、一般放送を受信しているときには、受信中のテレビ画像の他に、表示１２３に映像再生チューナ４３のチャンネル設定状態が示され、表示１２４に映像再生チューナ４３の受信状態が示されいる。一般放送を受信している間、探波チューナ４４ではスキャン処理が行われており、表示１２５及び表示１２６は、スキャン中を示す表示となる。
【００７６】
探波チューナ４４で新たな小規模放送局が検出されると、図１０（Ｂ）及び図１０（Ｃ）に示すように、表示１２５には探波チューナ４４のチャンネル設定状態として、新たに検出した小規模放送局のチャンネルが表示され、表示１２６には、その受信状態が表示される。
【００７７】
そして、新たに検出された小規模放送局の視聴を選択すると、映像再生チューナ４３のチャンネルが新たに検出された小規模放送局のチャンネルになり、図１０（Ｄ）に示すように、表示１２３には、設定された小規模放送局のチャンネルの表示となり、表示１２４には、その受信状態が表示される。
【００７８】
小規模放送局の受信をしている間では、図１０（Ｅ）に示すように、表示１２３には、設定された小規模放送局のチャンネルが表示され、表示１２４には、その受信状態が表示される。また、探波チューナ４４はスキャン処理となり、表示１２５及び表示１２６は、スキャン中を示す表示となる。
【００７９】
以上説明したように、本発明の第１の実施形態では、映像再生チューナ４３により放送受信中にも、探波チューナ４４により、小規模放送局の検出することができる。
【００８０】
また、一般放送用チャンネル記憶部５１と、小規模放送用チャンネル記憶部５２とが別個に設けられている。このように、一般放送用チャンネル記憶部５１と小規模放送用チャンネル記憶部５２とを分けると、放送が検出されたときに、一般放送用チャンネル記憶部５１に記憶されている放送チャンネル情報と比較することで、未知の小規模放送を確実に検出できる。また、一般放送用チャンネル記憶部５１と小規模放送用チャンネル記憶部５２とを設けることで、一般放送と小規模放送とに分けて、チャンネル設定を行える。
【００８１】
＜第２の実施形態＞
次に、本発明の第２の実施形態について説明する。前述の第１の実施形態では、探波チューナ４４をチャンネルスキャンさせて、小規模放送局の検出を行っている。これに対して、この実施形態では、小規模放送局のチャンネル情報を記録したバーコード（一次元バーコード、二次元バーコード（ＱＲコード）、カラーコードを含む）を読み取って、小規模放送局のチャンネル情報を検出している。
【００８２】
つまり、小規模放送局の周辺には、図１１に示すような小規模放送局に関するポスター２０１が設けられる。このポスター２０１には、小規模放送局のチャンネル情報を記録したＱＲコード２０２やバーコード２０３が印字されている。ユーザがこのＱＲコード２０２やバーコード２０３を携帯電話端末のカメラ部１８で撮影すると、ＱＲコード２０２やバーコード２０３から、小規模放送局のチャンネル情報がデコードされる。これにより、小規模放送局が検出される。
【００８３】
図１２は、本発明の第２の実施形態の動作を説明するための機能ブロック図である。本発明の第２実施形態では、カメラ部１８でバーコードが撮影され、このバーコードがデコードされて、小規模放送局のチャンネル情報が取得される。このようにバーコードから小規模放送局の情報が検出されると、小規模放送局が新たに検出されたことを示す報知表示が映出され、新たに検出された小規模放送局を登録するかどうかの表示が映出され、小規模放送局を登録するを選択すると、検出された小規模放送局の情報が小規模放送用チャンネル記憶部５２に登録される。そして、新たに検出された小規模放送局を視聴するかどうかの選択表示が映出され、検出された小規模放送局を視聴するを選択すると、映像再生チューナ４３のチャンネルが検出された小規模放送局のチャンネルに切り替えられ、検出された小規模放送局の受信画面が表示部１３に表示される。
【００８４】
図１３は、本発明の第２の実施形態のフローチャートである。図１３において、テレビジョンの受信が起動されたら（ステップＳ２０１）、一般放送チャンネルを受信するか、小規模放送チャンネルを受信するかが判定される（ステップＳ２０２）。
【００８５】
ステップＳ２０２で、一般放送チャンネルを受信する場合には、一般放送用チャンネル記憶部５１に記憶されているチャンネル情報の中からチャンネルが設定され（ステップＳ２０３）、映像再生チューナ４３により、設定されたチャンネルの放送が受信される（ステップＳ２０４）。
【００８６】
ステップＳ２０２で、小規模放送チャンネルを受信する場合には、小規模放送用チャンネル記憶部５２に記憶されているチャンネルの中からチャンネルが設定され（ステップＳ２０５）、映像再生チューナ４３により、設定されたチャンネルの放送が受信される（ステップＳ２０４）。
【００８７】
そして、カメラ部１８によりバーコードが撮影されて、バーコードのよる小規模放送局の検出処理が行われる（ステップＳ２０６）。小規模放送局が検出されたかどうかが判定される（ステップＳ２０７）。小規模放送局が検出されなければ、ステップＳ２０６にリターンされ、小規模放送局が検出処理が継続される。
【００８８】
ステップＳ２０７で、小規模放送局の放送が検出された場合には、小規模放送局が新たに検出されたことを示す報知表示が行われる（ステップＳ２０８）。そして、検出された小規模放送局のチャンネル情報を登録するかどうかかの選択表示が行われる（ステップＳ２０９）。
【００８９】
ステップＳ２１０で、小規模放送局のチャンネル情報の登録が選択されたかどうかが判定される。ステップＳ２１０で、小規模放送局のチャンネル情報を登録するが選択された場合（ステップＳ２１０のＹｅｓ）には、検出された小規模放送局のチャンネル情報が小規模放送用チャンネル記憶部５２に記憶される（ステップＳ２１１）。そして、検出された小規模放送局を視聴するかどうかの選択表示が行われる（ステップＳ２１２）。
【００９０】
ステップＳ２１０で、小規模放送局のチャンネル情報の登録が選択されない場合（ステップＳ２１０のＮｏ）には、そのまま、ステップＳ２１２に行き、検出された小規模放送局を視聴するかどうかの選択表示が行われる。
【００９１】
ステップＳ２１３で、小規模放送局を視聴するかどうかが判定される。小規模放送局を視聴するが選択された場合（ステップＳ２１３のＹｅｓ）には、映像再生チューナ４３のチャンネルが検出された小規模放送局のチャンネルに設定される（ステップＳ２１４）。そして、映像再生チューナ４３により、設定されたチャンネルの小規模放送が受信される（ステップＳ２１５）。その後、小規模放送局のチャンネルの受信が可能かどうかが判定され（ステップＳ２１６）、受信が可能なら、ステップＳ２１５にリターンされ、小規模放送局のチャンネルの受信が継続される。
【００９２】
ステップＳ２１３で、小規模放送局のチャンネル情報を視聴するが選択されない場合（ステップＳ２１３のＮｏ）には、ステップＳ２０４にリターンされ、最初に設定した設定チャンネルの受信が保持される。
【００９３】
ステップＳ２１６で、小規模放送局の受信ができないと判定された場合には、圏外にあることを示す報知表示が行われる（ステップＳ２１７）。そして、元のチャンネルに戻るかどうかの選択表示が行われる（ステップＳ２１８）。
【００９４】
ステップＳ２１９で、元のチャンネルに戻るが選択されたかどうかが判定され、元のチャンネルに戻るが選択された場合（ステップＳ２１９のＹｅｓ）には、元の設定チャンネルに復帰され（ステップＳ２２０）、ステップＳ２０４にリターンされる。ステップＳ２１９で、元のチャンネルに戻るが選択されない場合（ステップＳ２１９のＮｏ）には、ステップＳ２１５にリターンされ、小規模放送局のチャンネルの受信が継続される。
【００９５】
なお、バーコードにより小規模放送局のチャンネルの情報が入力されたら、直ちに、その小規模放送局にチャンネル設定して、受信を開始しても良い。
【００９６】
例えば、図１４に示すように、緊急用のポスター２０５に、緊急用の小規模放送チャンネルの情報が記録されたカラーコード２０４が設けられる。図１５に示すように、このカラーコード２０４がカメラ部１８で撮影され（ステップＳ３０１）、デコードされると（ステップ３０２）、映像再生チューナ４３が起動され（ステップＳ３０３）、緊急用の小規模放送局のチャンネルに設定される（ステップＳ３０４）。
【００９７】
＜第３の実施形態＞
次に、本発明の第３の実施形態について説明する。前述の第１の実施形態では、探波チューナ４４をスキャンさせて、小規模放送局の検出を行っており、また、第２の実施形態では、小規模放送局のチャンネル情報を記録したバーコードを読み取って、小規模放送局のチャンネル情報を検出している。これに対して、この実施形態では、近距離通信（例えば、Bluetooth（登録商標））を用いて、小規模放送局のチャンネル情報を検出している。
【００９８】
図１６は、本発明の第３の実施形態の動作を説明するための機能ブロック図である。本発明の第３実施形態では、近距離通信部２９を介して、データ送信装置３０１から小規模放送局のチャンネル情報が取得される。このように近距離通信により小規模放送局の情報が検出されると、小規模放送局が新たに検出されたことを示す報知表示が映出され、新たに検出された小規模放送局を登録するかどうかの表示が映出され、小規模放送局を登録するを選択すると、検出された小規模放送局の情報が小規模放送用チャンネル記憶部５２に登録される。そして、新たに検出された小規模放送局を視聴するかどうかの選択表示が映出され、検出された小規模放送局を視聴するを選択すると、映像再生チューナ４３のチャンネルが検出された小規模放送局のチャンネルに切り替えられ、検出された小規模放送局の受信画面が表示部１３に表示される。
【００９９】
図１７は、本発明の第３の実施形態のフローチャートである。図１７において、テレビジョンの受信が起動されたら（ステップＳ３０１）、一般放送チャンネルを受信するか、小規模放送チャンネルを受信するかが判定される（ステップＳ３０２）。
【０１００】
ステップＳ３０２で、一般放送チャンネルを受信する場合には、一般放送用チャンネル記憶部５１に記憶されているチャンネル情報の中からチャンネルが設定され（ステップＳ３０３）、映像再生チューナ４３により、設定されたチャンネルの放送が受信される（ステップＳ３０４）。
【０１０１】
ステップＳ３０２で、小規模放送チャンネルを受信する場合には、小規模放送用チャンネル記憶部５２に記憶されているチャンネルの中からチャンネルが設定され（ステップＳ３０５）、映像再生チューナ４３により、設定されたチャンネルの放送が受信される（ステップＳ３０４）。
【０１０２】
そして、近距離通信により小規模放送局の検出処理が行われ（ステップＳ３０６）、小規模放送局が検出されたかどうかが判定される（ステップＳ３０７）。小規模放送局が検出されなければ、ステップＳ３０６にリターンされ、小規模放送局が検出処理が継続される。
【０１０３】
ステップＳ３０７で、小規模放送局の放送が検出された場合には、小規模放送局が新たに検出されたことを示す報知表示が行われる（ステップＳ３０８）。そして、検出された小規模放送局のチャンネル情報を登録するかどうかかの選択表示が行われる（ステップＳ３０９）。
【０１０４】
ステップＳ３１０で、小規模放送局のチャンネル情報の登録が選択されたかどうかが判定される。ステップＳ３１０で、小規模放送局のチャンネル情報を登録するが選択された場合（ステップＳ３１０のＹｅｓ）には、検出された小規模放送局のチャンネル情報が小規模放送用チャンネル記憶部５２に記憶される（ステップＳ３１１）。そして、検出された小規模放送局を視聴するかどうかの選択表示が行われる（ステップＳ３１２）。
【０１０５】
ステップＳ３１０で、小規模放送局のチャンネル情報の登録が選択されない場合（ステップＳ３１０のＮｏ）には、そのまま、ステップＳ３１２に行き、検出された小規模放送局を視聴するかどうかの選択表示が行われる。
【０１０６】
ステップＳ３１３で、小規模放送局を視聴するかどうかが判定される。小規模放送局のチャンネルの視聴が選択された場合（ステップＳ３１３のＹｅｓ）には、映像再生チューナ４３のチャンネルが検出された小規模放送局のチャンネルに設定される（ステップＳ３１４）。そして、映像再生チューナ４３により、設定されたチャンネルの小規模放送が受信される（ステップＳ３１５）。その後、小規模放送局のチャンネルの受信が可能かどうかが判定され（ステップＳ３１６）、受信が可能なら、ステップＳ３１５にリターンされ、小規模放送局のチャンネルの受信が継続される。
【０１０７】
ステップＳ３１３で、小規模放送局のチャンネル情報を視聴するが選択されない場合（ステップＳ３１３のＮｏ）には、ステップＳ３０４にリターンされ、最初に設定した設定チャンネルの受信が保持される。
【０１０８】
ステップＳ３１６で、小規模放送局の受信ができないと判定された場合には、圏外にあることを示す報知表示が行われる（ステップＳ３１７）。そして、元のチャンネルに戻るかどうかの選択表示が行われる（ステップＳ３１８）。
【０１０９】
ステップＳ３１９で、元のチャンネルに戻るが選択されたかどうかが判定され、元のチャンネルに戻るが選択された場合（ステップＳ３１９のＹｅｓ）には、元の設定チャンネルに復帰され（ステップＳ３２０）、ステップＳ３０４にリターンされる。ステップＳ３１９で、元のチャンネルに戻るが選択されない場合（ステップＳ３１９のＮｏ）には、ステップＳ３１５にリターンされ、小規模放送局のチャンネルの受信が継続される。
【０１１０】
なお、上述の例では、近距離通信としてBluetooth（登録商標）を用いているが、これに限られるものではなく、赤外線通信や、可視光通信、ＲＦＩＤ等を用いても良い。
【０１１１】
＜変形例、応用例＞
上述の例では、テレビジョン放送としてワンセグテレビジョン放送を用いる場合について説明したが、本発明は、ワンセグテレビジョン放送に限定されるものではない。他の方式のテレビジョン放送の場合にも、同様に適用できる。
【０１１２】
さらに、ネットワークを使ってＩＰ配信によりテレビジョン放送をブロードキャストする場合にも、同様に適用できる。この場合には、一般放送用チャンネル記憶部５１や小規模放送用チャンネル記憶部５２には、放送局名と、そのＩＰアドレスを記憶しておくようにする。また、ＩＰ通信のブロードキャストを受信し、登録されていない新規なＩＰアドレスのネットワークの放送局を検出することで、小規模放送を検出する。
【０１１３】
また、上述の例では、小規模放送の受信ができなくなったら、一般放送に戻るようにしているが、一般放送が受信できなくなったときには、近距離放送を受信するようにしても良い。
【０１１４】
また、上述の例では、選局情報としてチャンネルと中心周波数と記憶させているが、チャンネルか中心周波数のどちらか一方を記憶させるようにしても良い。
【０１１５】
その他、この発明の要旨を逸脱しない範囲内で、各種の変形や応用が可能である。
【図面の簡単な説明】
【０１１６】
【図１】本発明の実施形態の携帯電話端末の外観構成を示す正面図及び背面図である。
【図２】本発明の実施形態の携帯電話端末の内部構成を示すブロック図である。
【図３】本発明の第１の実施形態の携帯電話端末における一般放送用チャンネル記憶部の説明図である。
【図４】本発明の第１の実施形態の携帯電話端末における小規模放送用チャンネル記憶部の説明図である。
【図５】本発明の第１の実施形態の携帯電話端末における一般放送の受信と小規模放送の受信との切り替えの説明図である。
【図６】本発明の第１の実施形態の携帯電話端末における一般放送の受信と小規模放送の受信との切り替えの説明図である。
【図７】本発明の第１の実施形態の動作に基づく機能ブロック図である。
【図８】本発明の第１の実施形態の動作説明に用いるフローチャートである。
【図９】本発明の第１の実施形態の動作説明に用いるフローチャートである。
【図１０】本発明の第１の実施形態の表示例の説明図である。
【図１１】本発明の第２の実施形態の説明図である。
【図１２】本発明の第２の実施形態の動作に基づく機能ブロック図である。
【図１３】本発明の第２の実施形態の動作説明に用いるフローチャートである。
【図１４】本発明の第２の実施形態における緊急チャンネル表示の説明図である。
【図１５】本発明の第２の実施形態における緊急チャンネルの説明に用いるフローチャートである。
【図１６】本発明の第２の実施形態の動作に基づく機能ブロック図である。
【図１７】本発明の第２の実施形態の動作説明に用いるフローチャートである。
【符号の説明】
【０１１７】
１：携帯電話端末
１１：マイクロホン
１２：スピーカ
１３：表示部
１４：テンキー
１５：カーソルキー
１６：決定キー
１７ａ〜１７ｄ：機能キー
１８：カメラ部
１９：アンテナ
２１：主制御部
２２：プロラムメモリ
２３：メモリ
２４：大容量メモリ
２５：電池
２６：電池制御部
２７：操作部
２９：近距離通信部
３１：送信部
３２：受信部
３３：無線部
３４：通信制御部
３６：音声処理部
３７：光学系
３８：撮像部
３９：映像信号処理部
４１：ＧＰＳ機能部
４２：ＲＦＩＤリーダ
４３：映像再生チューナ
４４：探波チューナ
４６：着信報知用スピーカ
４７：バイブレータ
５１：一般放送用チャンネル記憶部
５２：小規模放送用チャンネル記憶部
１０１：一般放送局
１０２：小規模放送局
２０１：ポスター
２０２：ＱＲコード
２０３：バーコード
２０４：カラーコード
２０５：緊急用のポスター
３０１：データ送信装置
【図１】
2009182800.tif 000003
【図２】
2009182800.tif 000004
【図３】
2009182800.tif 000005
【図４】
2009182800.tif 000006
【図５】
2009182800.tif 000007
【図６】
2009182800.tif 000008
【図７】
2009182800.tif 000009
【図８】
2009182800.tif 000010
【図９】
2009182800.tif 000011
【図１０】
2009182800.tif 000012
【図１１】
2009182800.tif 000013
【図１２】
2009182800.tif 000014
【図１３】
2009182800.tif 000015
【図１４】
2009182800.tif 000016
【図１５】
2009182800.tif 000017
【図１６】
2009182800.tif 000018
【図１７】
2009182800.tif 000019